(57)【要約】存在する又はストリームされるＩＰ又はメディアコンテンツをディスプレイへ転送するシステムが提供される。メディアコンテンツは、ディスプレイの本来の解像度よりも非常に低い、携帯電話の本来の解像度をサポートする。システムは、メディアコンテンツをディスプレイ本来の解像度へアップスケールするメディアコンテンツ処理回路を有する。システムは、アップスケールされたメディアコンテンツをディスプレイへ転送し、ディスプレイは、視聴者へアップスケールされたメディアコンテンツを提供する。【選択図】図１
2012514416.tif 000002
【特許請求の範囲】
【請求項１】
メディアコンテンツが、複数の通信ネットワークからモバイルコンピュータ装置へリアルタイムでストリームされ、かつディスプレイへ転送されるシステムであって、
前記複数の通信ネットワークは、モバイルデータネットワーク、ダイレクトブロードバンドサテライトネットワーク、サテライトデータネットワーク、ＩＰネットワークのうちの少なくとも２つを含み、
前記メディアコンテンツは、前記ディスプレイの本来の解像度よりも非常に小さい前記モバイルコンピュータ装置の本来の解像度をサポートし、
前記システムは、メディアコンテンツ処理回路を含み、
前記メディアコンテンツ処理回路は、
（ａ）リアルタイムで前記メディアコンテンツを前記ディスプレイの本来の解像度へアップスケールするアップスケール手段と、
（ｂ）リアルタイムでアップスケールされた前記メディアコンテンツを前記ディスプレイへ転送する転送手段とを含み、
前記ディスプレイは、アップスケールされた前記メディアコンテンツをリアルタイムで視聴者へ提供する、システム。
【請求項２】
前記モバイルコンピュータ装置は、携帯電話である、請求項１に記載のシステム。
【請求項３】
前記携帯電話は、スマートフォンである、請求項２に記載のシステム。
【請求項４】
前記メディアコンテンツは、第１のファイルフォーマットで前記モバイルコンピュータ装置へ提供され、前記メディアコンテンツ処理回路は、前記メディアコンテンツを第２のファイルフォーマットへ変換するエンコード手段を含む、請求項２に記載のシステム。
【請求項５】
前記ディスプレイは、ＴＶ又はプロジェクタである、請求項２に記載のシステム。
【請求項６】
前記ＴＶは、ＨＤＴＶである、請求項５に記載のシステム。
【請求項７】
前記第１のファイルフォーマットは、３ＧＰであり、前記第２のファイルフォーマットは、ＭＰＥＧ−４である、請求項４に記載のシステム。
【請求項８】
前記ＩＰネットワークは、ＷｉＦｉネットワーク及びＷｉＭＡＸネットワークを含む、請求項２に記載のシステム。
【請求項９】
前記携帯電話は、ＭｅｄｉａＦＬＯ信号、ＤＶＢ−Ｈ信号、ＤＶＢ−ＳＨ信号及びＨＳＰＡ信号のいずれかを受信可能である、請求項８に記載のシステム。
【請求項１０】
前記メディアコンテンツ処理回路は、ビデオ‐オン‐デマンド及び／又はデジタル著作権管理により保護されたデータの処理に適合される、請求項８に記載のシステム。
【請求項１１】
前記通信ネットワークからの前記メディアコンテンツは、ＴＶ番組、ライブイベント、映画ダウンロード及びビデオ共有ウェブサイトからのコンテンツのいずれかを表す、請求項８に記載のシステム。
【請求項１２】
前記メディアコンテンツ処理回路は、ユーザによるダウンストリーム閲覧のために受信された前記メディアコンテンツを構築するコンテンツ管理ソフトウェアを含む、請求項８に記載のシステム。
【請求項１３】
前記コンテンツ管理ソフトウェアは、ネットワークのいずれかでの番組を表す１又は複数の電子番組ガイド、ユーザが前記ネットワークのいずれかに配置されるチャネルをサーフィンするリモートコントロール機能、及びいずれかの前記ネットワークでのコンテンツをフィルタリングするコンテンツフィルタを提供する、請求項１２に記載のシステム。
【請求項１４】
前記エンコード手段は、ソフトウェアを含む、請求項４に記載のシステム。
【請求項１５】
前記アップスケール手段は、ハードウェアを含む、請求項２に記載のシステム。
【請求項１６】
前記転送手段は、ビデオコントローラを含む、請求項２に記載のシステム。
【請求項１７】
前記メディアコンテンツ処理回路は、前記携帯電話内に配置され、前記携帯電話は、ＴＶとの通信に適合する、請求項２に記載のシステム。
【請求項１８】
前記携帯電話は、無線又は有線技術を介して前記ディスプレイと通信する、請求項１７に記載のシステム。
【請求項１９】
前記携帯電話は、前記メディアコンテンツ処理回路が前記メディアコンテンツを前記ディスプレイへアップスケール及び転送している間に、発信及び着信可能である、請求項１７に記載のシステム。
【請求項２０】
前記メディアコンテンツ処理回路は、前記携帯電話及びＴＶの両方の通信に適合したセットトップボックスに提供される、請求項２に記載のシステム。
【請求項２１】
前記携帯電話は、バッテリを有し、前記携帯電話の前記バッテリが充電及び／又は放電される前記セットトップボックスに接続するように適合される、請求項２０に記載のシステム。
【請求項２２】
前記携帯電話は、無線又は有線技術を介して前記セットトップボックスと通信し、前記ディスプレイは、無線又は有線技術を介して前記セットトップボックスと通信する、請求項２０に記載のシステム。
【請求項２３】
前記システムは、前記メディアコンテンツをアップスケール及び転送する前にユーザを認証する、請求項２に記載のシステム。
【請求項２４】
前記メディアコンテンツ処理回路は、エンコード及びアップスケール要求を識別する前記携帯電話のモデル及び前記ディスプレイのモデルを識別する、請求項４に記載のシステム。
【請求項２５】
前記セットトップボックスは、前記ディスプレイに有線で通信する接続ポートを含む、請求項２０に記載のシステム。
【請求項２６】
前記接続ポートは、ＤＶＩ、ＨＤＭＩ及びＳ−Ｖｉｄｅｏのいずれかを含む、請求項２５に記載のシステム。
【発明の詳細な説明】
【技術分野】
【０００１】
本出願は、２００８年１２月３１日に出願された米国特許仮出願第６１／１４２，１９０号の優先権を主張するものであり、参照により本明細書に援用される。
【０００２】
本明細書に記載された発明は、コンテンツを受信し、閲覧のためにコンテンツをディスプレイに表示するモバイルセットトップボックスに関する。
【背景技術】
【０００３】
テレビジョン及びインターネットのユーザは、ケーブル、サテライト及びインターネットネットワークを通じて取得可能なコンテンツにアクセスする。これらの各ネットワークは、ネットワークを通じてコンテンツを送信し、ユーザがテレビジョン又はコンピュータスクリーン上のコンテンツを閲覧可能にする。
【０００４】
テレビジョンに対しては、テレビジョンのユーザは、セットトップボックスを用いてコンテンツに共通にアクセスする。このボックスは、ディスプレイとブロードバンドネットワークとのインターフェースとして提供される専用のコンピュータ装置である。共通のセットトップボックスは、家庭内でのケーブル又はサテライトテレビジョン接続でみられるケーブル又はサテライトセットトップボックスである。セットトップボックスは、ケーブル又はサテライト放送受信用アンテナを通じてテレビジョン信号を受信し、信号のデータを再フォーマットし、テレビジョンにより表示するためのデータをテレビジョンへ送る。セットトップボックスは、また、テレビジョンビューアを、オンスクリーン番組ガイドや、家庭用、自動広告、ゲーム又はオンデマンドビデオのようなコンテンツへアクセス可能にする。
【０００５】
しかしながら、セットトップボックスには制限がある。例えば、セットトップボックスは、ボックスを提供するネットワークでのみ用いられうる。例えば、セットトップボックスは、Ｃｏｍｃａｓｔ  ｃａｂｌｅ  ｎｅｔｗｏｒｋでは使用できないＶｅｒｉｚｏｎ  ＦＩＯＳにより提供される。また、セットトップボックスから出力するコンテンツは、ＴＶ信号を受信可能な装置上でのみ閲覧されうる。
【０００６】
コンピュータに対しては、インターネットユーザは、デスクトップ又はラップトップコンピュータを使用してコンテンツに共通にアクセスする。多くの場所でインターネットアクセスポイントが利用できるが、多くのコンピュータユーザは、ロケーション間でデスクトップコンピュータを持ち運ばない。ラップトップコンピュータユーザは、頻繁にラップトップコンピュータを持ち運び、いくつかのラップトップコンピュータユーザは、無線ネットワークを通じてインターネットにアクセス可能な、例えば、Ｖｅｒｉｚｏｎ、Ｓｐｒｉｎｔ又はＡＴ＆Ｔ  ｗｉｒｅｌｅｓｓ  ｎｅｔｗｏｒｋ社のモデムカードを有している。しかしながら、ラップトップコンピュータは、ユーザがコンテンツをラップトップスクリーン又は他のコンピュータ周辺機器でのみ閲覧可能である。
【０００７】
携帯電話のような他のモバイルコンピュータ装置は、取得可能であるが、他のモバイルコンピュータ装置もまた、コンテンツアクセスについて制限がある。例えば、無線電話サービスと同様に、Ｖｅｒｉｚｏｎ、Ｓｐｒｉｎｔ又はＡＴ＆Ｔのような多くの無線プロバイダもまた、インターネットを通じたコンテンツ又は例えばＶｅｒｉｚｏｎのＶ  Ｃａｓｔ  ｓｅｒｖｉｃｅを通じたプロバイダからのコンテンツへアクセスする機能を提供する。
【０００８】
今日、携帯電話、ＰＤＡ又はスマートフォンのようなモバイルコンピュータ装置は、人々が無線での接続に用いる主要な装置である。無線キャリアにより提供されるブロードバンドデータカードは、利用が広がっているが、多くのこのようなカードは、音声及びデータ通信で用いられる多くの携帯電話のうちのわずかである。このような多くの問題が存在するが、主な要因は、携帯電話／ＰＤＡ装置の大きさである。
【０００９】
様々な従来技術は、既知の携帯電話の性能をつなぐことを試みている。具体的な例としては、国際公開第０３／０３２５０４号の「Ｍｅｔｈｏｄｓ  ａｎｄ  Ｓｙｓｔｅｍｓ  ｏｆ  Ｗｉｒｅｌｅｓｓ  Ｃｏｍｍｕｎｉｃａｔｉｏｎ  Ｂｅｔｗｅｅｎ  ａ  Ｒｅｍｏｔｅ  Ｄａｔａ  Ｎｅｔｗｏｒｋ  ａｎｄ  ａ  Ｓｅｔ−Ｔｏｐ  Ｂｏｘ」（特許文献１）がある。特許文献１は、無線データ送受信の分野を対象としたものである。特許文献１に開示される発明は、特に無線通信又はセルラーネットワークを通じてパケット信号を送受信する無線電話を用いて、セットトップボックスを用いた標準的なテレビジョンに表示するシステム及び方法を含むデータ送受信システムに関する。
【００１０】
この特許文献１の開示は、位置特定の実装を対象としたものであり、ワイヤラインシステムがない位置において流通網を従来のセットトップボックスに置き換えている。例えば、特許文献１は、「固定電話回線がない、又は信頼できない地域にインターネットアクセスを提供するシステムが必要である。」ことを教示している。
【００１１】
さらなる例は、国際公開第０８／１３６６２０号の「Ｍｅｔｈｏｄ  ａｎｄ  Ｓｙｓｔｅｍ  ｆｏｒ  Ｒｅｃｅｉｖｉｎｇ  Ｄｉｇｉｔａｌ  Ｂｒｏａｄｃａｓｔｉｎｇ  ｂｙ  Ｕｓｉｎｇ  Ｍｏｂｉｌｅ  Ｃｏｍｍｕｎｉｃａｔｉｏｎ  Ｔｅｒｍｉｎａｌ」（特許文献２）である。特許文献２の開示は、「モバイル通信端末を用いることによりデジタルブロードキャストを受信するシステム及び方法」に関する。より具体的には、特許文献２の発明は、「モバイル通信端末をデジタルブロードキャスト受信装置の回路に置き換えるために、デジタルブロードキャスト受信装置をモバイル通信端末に接続することよりデジタルブロードキャストを受信するシステム及び方法」に関する。
【００１２】
特許文献２の開示は、特許文献２の発明がモバイル端末での大気中を飛来する信号を表示することに限定されている。これは、通常、同一技術でアンテナ及びセットトップボックスにより受信される直接デジタルブロードキャスト信号（ＤＢＳ）を作動することにより達成される。
【先行技術文献】
【特許文献】
【００１３】
【特許文献１】国際公開第０３／０３２５０４号
【特許文献２】国際公開第０８／１３６６２０号
【発明の概要】
【発明が解決しようとする課題】
【００１４】
モバイルコンピュータ装置は、特許文献１及び２で認識されていない制限がある。多くのモバイルコンピュータ装置は、大きなディスプレイモニタに接続することできない。また、多くの無線ネットワークは、インターネット、ケーブル又はサテライト通信システムに比べて帯域幅が狭い。取得可能な帯域幅の考慮及び特定のモバイルコンピュータ装置の処理能力に基づいて、モバイルコンピュータ装置に転送されるコンテンツは、通常、モバイルコンピュータ装置のみ適した大きさとなる。
【００１５】
例えば、Ｅｎｈａｎｃｅｄ  Ｄａｔａ  ＧＳＭ  Ｅｎｖｉｒｏｎｍｅｎｔ（ＥＤＧＥ）を通じて通信し、米国の多くのスマートフォンにより使用されるプロトコルである携帯電話の帯域幅は、所与のスマートフォンに対して本来の解像度となりうるＱＶＧＡ（Ｑｕａｒｔｅｒ  Ｖｉｄｅｏ  Ｇｒａｐｈｉｃｓ  Ａｒｒａｙ）解像度にエンコードされたコンテンツのストリームをサポートするのに十分である。しかしながら、帯域幅は、例えば、対象となるディスプレイの本来の解像度となりうる１０８０Ｐ解像度（フルＨＤ）でのビデオをサポートするのに十分と言えるほどではない。
【００１６】
携帯電話からＨＤ−ＴＶへの低解像度ビデオのストリーミングは、有効な選択肢ではないことがわかる。しかしながら、携帯電話がグローバルユビキタス化に取り組み、３Ｇ及び４Ｇネットワークと同様にＷｉＦｉ及びＷｉＭａｘの急増が始まっているように、どこでも高速無線データ転送が取得可能になることが近づいている。
【００１７】
したがって、個別の位置で通常に取得可能なコンテンツを、いつでも、どこでもこのようなコンテンツへユーザがアクセスして取得できるようなセットトップボックス及びモバイル通信システムの機能性を組み合わせたモバイルセットトップボックスが必要とされている。
【００１８】
また、コンテンツを大画面ＨＤ−ＴＶのような大画面で適切に閲覧するために、モバイルセットトップボックスが、携帯電話のようなモバイルコンピュータ向けのコンテンツをアップコンバート可能にすることが求められている。
【課題を解決するための手段】
【００１９】
本発明は、異種データネットワークとディスプレイ装置との間のコンジットとして機能するモバイルセットトップボックスを提供することにより上述した課題を解決する。
【００２０】
本発明の目的は、標準的な大気を通じた配信と同様にブロードバンドネットワークを通じてモバイルコンテンツへのアクセスを得るモバイルセットトップボックスを提供することである。
【００２１】
本発明の他の目的は、広く普及している携帯電話／ＰＤＡの汎用性を活用し、携帯電話／ＰＤＡと組み合わせたときに、コンテンツの映写及びインタラクションのための統合装置として用いられるモバイルセットトップボックスを提供することである。これは、ＷｉＦｉ、ＷｉＭＡＸ及びＭＳＳ（Ｍｏｂｉｌｅ  Ｓａｔｅｌｌｉｔｅ  Ｓｅｒｖｉｃｅｓ）ネットワークと同様のセルキャリアを活用することを含んでいる。
【００２２】
本発明の他の目的は、ユーザがメディアサービスを受信可能にするためにユーザを認証可能なモバイルセットトップボックスを提供することである。
【００２３】
本発明の他の目的は、セルラー又は他のネットワークを通じて番組情報を受信する機能を有し、ユーザからのリアルタイム又は記録された映像及び音声の選択を受信し、携帯電話のようなモバイルコンピュータ装置で構成されるメディアを大画面ＨＤ−ＴＶに表示するためにアップコンバージョンを行うモバイルセットトップボックスを提供することである。
【００２４】
本発明の他の目的は、セルラー又は他のネットワークから受信した映像及び音声を中間コンポーネントとして受信するモバイルセットトップボックスを提供することである。
【００２５】
本発明の他の目的は、ユーザが「チャネルサーフィン（ｓｕｒｆ  ｃｈａｎｎｅｌｓ）」できるモバイルセットトップボックスを提供することである。
【００２６】
また、ブロードキャストＴＶ信号をデコーディング及びレンダリングする場合における本発明の他の目的は、ビデオ‐オン‐デマンド（ＶＯＤ）、電子番組ガイド（ＥＰＧ）、デジタル著作権管理（ＤＲＭ）及び様々なインタラクティブ及びマルチメディアサービスの処理が可能なモバイルセットトップボックスを提供することである。
【００２７】
より具体的には、存在する又はストリームされるＩＰ又はメディアコンテンツをディスプレイへ転送するシステムが提供される。メディアコンテンツは、ディスプレイの本来の解像度よりも非常に低い、携帯電話の本来の解像度をサポートする。システムは、メディアコンテンツをディスプレイ本来の解像度へアップスケールするメディアコンテンツ処理回路を有する。システムは、アップスケールされたメディアコンテンツをディスプレイへ転送し、ディスプレイは、視聴者へアップスケールされたメディアコンテンツを提供する。
【図面の簡単な説明】
【００２８】
添付の図面は、本明細書に記載される発明を示すものであり、以下の発明の詳細な説明と共に、本発明の記述を補助するものである。図面の参照番号は、同一の又は同様の要素を示し、発明の詳細な説明中において同一の又は同様の要素を示すために用いられる。以下は図面の簡単な説明である。
【図１】図１は、本発明の開示された実施形態の概要を示す図である。
【図２】図２は、本発明の範囲内において、モバイルセットトップボックス及びドッキングステーションが組み合わされた実装と比較して、モバイルセットトップボックス及びドッキングステーションが２つの異種装置である場合における本発明の開示された実施形態の実装を示す図である。
【図３】図３は、本発明の開示された実施形態の実装をさらに示す図である。
【図４】図４は、本発明の開示された実施形態に係る実装可能な他の形態を示す図である。
【発明を実施するための形態】
【００２９】
図１は、本発明で使用される概念を示す図である。モバイルセットトップボックス１０は、異種伝送ネットワーク１２と異種ディスプレイ装置１４との間の仲介装置として提供される。モバイルセットトップボックス１０を用いて、ユーザは、伝送ネットワーク１２を通じてコンテンツプロバイダからコンテンツへアクセスし、そして、異種ディスプレイ装置１４上へコンテンツを表示するようにモバイルセットトップボックス１０を使用する。
【００３０】
モバイルセットトップボックス１０は、１又は様々な通信ネットワークへアクセスでき、このようなネットワークを通じて提供されるプロトコルの処理が可能になり、例えば、ネットワーク及びプロトコルは、本明細書に添付の別紙Ａに挙げられる。例えば、適切に構成されたモバイル通信装置は、ＡＴＳＣ技術、ＩＰ技術、サテライト技術及び／又はＷｉＦｉ技術を実装したシステムを通じて分散されたデータへアクセスしうる。
【００３１】
また、従来のセットトップボックスとは異なり、本発明は、任意のディスプレイに適応するコンテンツへ再フォーマットできる。モバイルセットトップボックス１０は、モバイルセットトップボックス１０により受信されたコンテンツのサイズフォーマットを決定することが可能であり、ディスプレイ装置１４上にコンテンツを適切に表示するために、適切なアップコンバージョン又はダウンコンバージョンを行うことが可能である。
【００３２】
すなわち、モバイルセットトップボックス１０は、例えば、３インチスクリーンを有する携帯電話等の任意のサイズの携帯電話用、すなわち、コンピュータ装置１０用のデータを処理するので、その結果、そうしたコンテンツは、例えば、大画面ＨＤ−ＴＶ、コンピュータのモニタ、又はプロジェクタ等の任意の視覚ディスプレイ上で適切に閲覧できる。
【００３３】
つまり、モバイルセットトップボックス１０は、伝送信号の全ての形式のフルマトリックス、伝送により提供されるプロトコルの全ての形式（多くのものは別紙Ａに列挙される）及びディスプレイタイプの全ての形式をナビゲート可能である。
【００３４】
また、携帯電話からのアップスケーリング映像は、例えば、携帯電話で一般的にみられるＱＶＧＡ解像度からＳＸＧＡ（Ｓｕｐｅｒ  ｅｘｔｅｎｄｅｄ  Ｇｒａｐｈｉｃｓ  Ａｒｒａｙ）解像度及び大画面ＨＤ（Ｈｉｇｈ  Ｄｅｆｉｎｉｔｉｏｎ  Ｔｅｌｅｖｉｓｉｏｎ）解像度へ画像データをアップスケーリング可能な日本電気株式会社製の「１枚超解像ＬＳＩ「μＰＤ９２４５ＧＪ」チップ」を用いて達成されうる。
【００３５】
上記及び以下の記載は、携帯電話を接続した本発明について示したが、当業者は、本発明が他の状況にも適用できることを理解するであろう。例えば、当業者は、本発明がラップトップコンピュータ又はＧＰＳ装置のような他のモバイルコンピュータ装置に適用できることを理解するであろう。
【００３６】
図２は、本発明の実装を示す図である。モバイルセットトップボックス１０は、携帯電話２０及びドッキングステーション２２として図示される。図示されるように、携帯電話２０は、単にドッキングステーション２２へ情報を通過させ、ドッキングステーション２２により制御される。しかし、モバイルセットトップボックス１０の機能性は、任意の装置でも発揮されうる。また、携帯電話２０及びドッキングステーション２２は、１つの装置に組み合わされうる。また、ディスプレイ１４は、標準的なテレビジョンとして図示される。
【００３７】
図示されるように、ユーザのセルラープロバイダからのメディア信号１２は、ユーザの携帯電話２０へ送られ、その後、ドッキングステーション２２へ伝達される。一般的なネットワークを通じて提供され、かつ携帯電話２０が受信可能なプロトコルは、例えば、ＭｅｄｉａＦＬＯ（Ｆｏｒｗａｒｄ  Ｌｉｎｋ  Ｏｎｌｙ）、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＤＶＢ−ＳＨ（Ｄｉｇｉｔａｌ  Ｖｉｄｅｏ  Ｂｒｏａｄｃａｓｔｉｎｇ−Ｓａｔｅｌｌｉｔｅ  ｓｅｒｖｉｃｅｓ  ｔｏ  Ｈａｎｄｈｅｌｄｓ）及びＨＳＰＡ（Ｈｉｇｈ  Ｓｐｅｅｄ  Ｐａｃｋｅｔ  Ａｃｃｅｓｓ）を含む。また、携帯電話２０は、例えば、３Ｇ、サテライト通信等のような様々なネットワークを通じて通信可能である。他の適用可能なプロトコル及び通信ネットワークは、本明細書に添付の別紙Ａに列挙される。
【００３８】
また、３ＧＰ、すなわち、３Ｇ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）マルチメディアサービスのためのＴｈｉｒｄ  Ｇｅｎｅｒａｔｉｏｎ  Ｐａｒｔｎｅｒｓｈｉｐ  Ｐｒｏｊｅｃｔ（３ＧＰＰ）により規定されるマルチメディアコンテナフォーマットを他のビデオフォーマットへ変換すること、及び／又は別紙Ａに列挙される任意のフォーマット間で変換することは、簡易に取得可能なソフトウェア及び／又はハードウェアエンコーダの使用を通じてモバイルセットトップボックス１０で行われうる。
【００３９】
図２は、ドッキングステーション２２内のビデオカード２６により受信及び処理されうるサンプルプロトコルスタック２４を図示する。スタック２４は、ＭＰＥＧビデオ２８と、ＲＴＰ（Ｒｅａｌ−ｔｉｍｅ  Ｔｒａｎｓｐｏｒｔ  Ｐｒｏｔｏｃｏｌ）パケット３０と、ＵＤＰ（Ｕｓｅｒ  Ｄａｔａｇｒａｍ  Ｐｒｏｔｏｃｏｌ）パケット３２と、ＩＰ（Ｉｎｔｅｒｎｅｔ  Ｐｒｏｔｏｃｏｌ）パケット３４と、ＤＶＢ−Ｈデータ３６とを含む。一般的なプロトコルスタックの他のレイヤーは、明確に列挙されないが、暗に示される。ＩＰパケットは、マルチキャスト型のブロードキャスト及び／又は「オンデマンドビデオ」のようなユニキャストを通じて送信されうる。
【００４０】
ドッキングステーション２２の出力側では、ビデオは、ＤＶＩ（Ｄｉｇｉｔａｌ  Ｖｉｓｕａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤｉｓｐｌａｙＰｏｒｔ、Ｓ−Ｖｉｄｅｏ（Ｓｅｐａｒａｔｅｄ  Ｖｉｄｅｏ）のような様々なフォーマットでテレビへ送信されうる。図示されるように、ドッキングステーション２２は、コンテンツがドッキングステーション２２によりどのように受信されるかにかかわらずテレビで閲覧できるように、コンテンツをテレビへ送信する前にコンテンツの適切なアップコンバージョンを行う。
【００４１】
図３は、本発明の他の実施形態を示す図である。テレビ番組、ライブイベント、映画ダウンロード、Ｙｏｕｔｕｂｅ（登録商標）のようなビデオ共有ウェブサイトから提供される、現在のコンテンツ３８の様々なソースが存在する。このコンテンツは、図２に図示され、かつ上述した様々な遠距離通信ネットワークを通じて携帯電話２０へ送信される。
【００４２】
携帯電話２０及びテレビジョン１４は、図２に図示され、かつ上述したようなドッキングステーション２２を通じて接続される。ドッキングステーション２２は、携帯電話２０の本来の解像度のような携帯電話２０により提供されることが可能なビデオ表示特性を決定し、かつ携帯電話２０の本来の解像度よりもはるかに大きくなりうるテレビジョン１４の本来の解像度のようなテレビジョン１４により表示されることが可能なビデオ表示特性のタイプを決定する。ネットワークからコンテンツを受信すると、携帯電話２０は、ドッキングステーション２２へコンテンツをアップスケールし、かつコンテンツをテレビジョン１４へ表示する情報を転送する。
【００４３】
図４は、本発明の他の実施形態を示す図である。システム１２は、様々なコンテンツソース３８からの全ての情報を受信し、ユーザによるテレビジョン１４でのダウンストリーム閲覧のための情報を構築するコンテンツマネージャ４２を含みうる。すなわち、コンテンツマネージャ４２は、様々なネットワーク４０を通じて配給されるコンテンツを構築し、例えば、番組表、遠隔制御機能、必要な場合にはコンテンツフィルタを提供する。
【００４４】
使用する際には、関連性のあるモバイルネットワークをサポートする標準的な携帯電話は、取得可能なコンテンツをユーザに案内を可能にし、コンテンツをユーザが選択可能にするように表示する。開示されたドッキングステーションに携帯電話が取り付けられると、その後、多くの装置に接続されうる。
【００４５】
その時点で、携帯電話又はドッキングステーションは、第２の又はそれ以上のプロセス及びビデオコントローラをサポート可能にする外部電力を受け付ける。ドッキングステーションは、電話の出力を取得し、テレビジョン、データ端末又は他の外部装置へ接続を可能にする。ハンドセット及びドッキングステーションが統合された実施形態では、このような接続は必要とされない。
【００４６】
携帯電話は、有線又は無線接続を通じてドッキングステーションに接続しうる。同様に、開示されたドッキングステーションは、有線及び無線の両方の外部ディスプレイシステムに接続しうる。前述したように、ハンドセット及びドッキングステーションが統合された実施形態では、このような接続は必要とされない。
【００４７】
したがって、開示されたモバイルセットトップボックスは、
ａ．ブロードバンドネットワークを通じてモバイルコンテンツへのアクセスが得られる、
ｂ．広く普及している携帯電話／ＰＤＡの汎用性を活用し、携帯電話／ＰＤＡと組み合わせたときに、コンテンツの映写及びインタラクションのための統合装置として用いられる、
ｃ．ユーザがメディアサービスを受信できるようにユーザを認証する、
ｄ．セルラー又は他のネットワークを通じて番組情報を受信し、ユーザからのリアルタイム又は記録された映像及び音声の選択を受信し、携帯電話のようなモバイルコンピュータ装置で構成されるメディアを大画面ＨＤ−ＴＶに表示するためにアップコンバージョンを行う、
ｅ．セルラー又は他のネットワークから受信した映像及び音声を中間コンポーネントとして提供する、
ｆ．ユーザが「チャネルサーフィン（ｓｕｒｆ  ｃｈａｎｎｅｌｓ）」できる、及び
ｇ．ビデオ‐オン‐デマンド（ＶＯＤ）、電子番組ガイド（ＥＰＧ）、デジタル著作権管理（ＤＲＭ）及び様々なインタラクティブ及びマルチメディアサービスを処理する、
ことが可能となることにより本発明の目的に合致する。
【００４８】
つまり、開示されたモバイルセットトップボックスは、異種データネットワークとメディア装置（テレビジョン、インタラクティブ端末等）との間で、これらの装置へインターネットアクセス及びビデオコンテンツを拡張するコンジットとして機能する。
【００４９】
上述した記載の目的は、本明細書に記載された本発明の実例を提供することである。上述した記載は、本発明を、開示された正確な形態に包括すること、又は限定することを意図するものではない。当業者は、上記の原則を考慮して、多くの改良及び変形が可能であることを当然に理解するであろう。上述した記載は、これらの原則及び実用上の例を説明するものである。
【００５０】
別紙Ａ
ＶＩＤＥＯ  ＴＥＣＨＮＯＬＯＧＩＥＳ
ＤＶＢ  ｆａｍｉｌｙ  （Ｅｕｒｏｐｅ）
ＤＶＢ−Ｓ  （ｓａｔｅｌｌｉｔｅ）ＤＶＢ−
Ｓ２
ＤＶＢ−Ｔ  （ｔｅｒｒｅｓｔｒｉａｌ）
ＤＶＢ−Ｔ２
ＤＶＢ−Ｃ  （ｃａｂｌｅ）
ＤＶＢ〜Ｃ２
ＤＶＢ−Ｈ  （ｈａｎｄｈｅｌｄ）
ＤＶＢ−ＳＨ  （ｓａｔｅｌｌｉｔｅ）
ＡＴＳＣ  ｆａｍｉｌｙ  （Ｎｏｒｔｈ  Ａｍｅｒｉｃａ）
ＡＴＳＣ  （ｔｅｒｒｅｓｔｒｉａｌ／ｃａｂｌｅ）
ＡＴＳＣ−Ｍ／Ｈ  （ｍｏｂｉｌｅ／ｈａｎｄｈｅｌｄ）
ＩＳＤＢ  ｆａｍｉｌｙ  （Ｊａｐａｎ／Ｂｒａｚｉｌ）
ＩＳＤＢ−Ｓ  （ｓａｔｅｌｌｉｔｅ）
ＩＳＤＢ−Ｔ  （ｔｅｒｒｅｓｔｒｉａｌ）
１ｓｅｇ  （ｈａｎｄｈｅｌｄ）
ＩＳＤＢ−Ｃ  （ｃａｂｌｅ）
ＳＢＴＶＤ  （Ｂｒａｚｉｌ）
ＤＭＢ  Ｆａｍｉｌｙ  （Ｋｏｒｅａ）
Ｔ−ＤＭＢ  （ｔｅｒｒｅｓｔｒｉａｌ）
Ｓ−ＤＭＢ  （ｓａｔｅｌｌｉｔｅ）
Ｃｏｄｅｃｓ
Ｖｉｄｅｏ
ＭＰＥＧ−２
ＭＰＥＧ−４  ＡＶＣ
ＩＰ  ＴＥＣＨＮＯＬＯＧＩＥＳ
ＧＳＭ  １  ＵＭＴＳ  （３ＧＰＰ）  Ｆａｍｉｌｙ
ＧＳＭ  （２Ｇ）
ＧＰＲＳ
ＥＤＧＥ  （ＥＧＰＲＳ）
ＥＤＧＥ  Ｅｖｏｌｕｔｉｏｎ
ＣＳＤ
ＨＳＣＳＤ
ＵＭＴＳ  （３Ｇ）
Ｗ−ＣＤＭＡ  （ＵＭＴＳ）
ＨＳＰＡ
ＨＳＤＰＡ
ＨＳＵＰＡ
ＨＳＰＡ＋
ＵＭＴＳ−ＴＤＤ
ＴＤ−ＣＤＭＡ
ＴＤ−ＳＣＤＭＡ
ＦＯＭＡ
３ＧＰＰ  ＲｅＩ．  ８  （Ｐｒｅ−４Ｇ）
Ｅ−ＵＴＲＡ
ｃｄｍａＯｎｅ／ＣＤＭＡ２０００  （３ＧＰＰ２）  Ｆａｍｉｌｙ
ｃｄｍａＯｎｅ（２Ｇ）
ＣＤＭＡ２０００（３Ｇ）
ＥＶ−ＤＯ
ＡＭＰＳ  Ｆａｍｉｌｙ
ＡＭＰＳ  （１Ｇ）
ＴＡＣＳ／ＥＴＡＣＳ
Ｄ−ＡＭＰＳ  （２Ｇ）
Ｏｔｈｅｒ  Ｔｅｃｈｎｏｌｏｇｉｅｓ
Ｐｒｅ  Ｃｅｌｌｕｌａｒ
ＰＴＴ
ＭＴＳ
ＩＭＴＳ
ＡＭＴＳ
ＯＬＴ
ＭＴＤ
Ａｕｔｏｔｅｌ／ＰＡＬＭ
ＡＲＰ
１Ｇ
ＮＭＴ
Ｈｉｃａｐ
ＣＤＰＤ
Ｍｏｂｉｔｅｘ
ＤａｔａＴＡＣ
２Ｇ
ｉＤＥＮ
ＰＤＣ
ＣＳＯ
ＰＨＳ
ＷＩＤＥＮ
Ｐｒｅ−４Ｇ
ｉＢｕｒｓｔ
ＨｉｐｅｒＭＡＮ
ＷｉＭＡＸ
ＷｉＢｒｏ
ＧＡＮ（ＵＭＡ）
Ｃｈａｎｎｅｌ  Ａｃｃｅｓｓ  Ｍｅｔｈｏｄｓ
ＦＤＭＡ
ＯＦＤＭＡ
ＴＤＭＡ
ＳＳＭＡ
ＣＤＭＡ
Ｗ−ＣＤＭＡ
Ｆｒｅｑｕｅｎｃｙ  ｂａｎｄｓ
Ｃｅｌｌｕｌａｒ
ＧＳＭ
ＵＭＴＳ
ＰＣＳ
ＳＭＲ
Ｏｔｈｅｒ  Ｄａｔａ  Ａｃｃｅｓｓ
ＷｉＦｉ  ８０２．１１ｘ
ＷｉＭａｘ  ８０２．１６ｘ
Ｓａｔｅｌｌｉｔｅ
ＧＭＲ−１
ＧＭＲ−２
ＧＭＲ−３Ｇ
【図１】
2012514416.tif 000003
【図２】
2012514416.tif 000004
【図３】
2012514416.tif 000005
【図４】
2012514416.tif 000006
【国際調査報告】
2012514416.tif 000007
2012514416.tif 000008
2012514416.tif 000009